(57)【要約】【課題】隠し框構造の窓であっても障子の開閉方向の移動を規制することが可能な障子保持部材等を提供する。【解決手段】枠体に対して回動することにより開閉自在に設けられた障子を、閉じた状態にて前記枠体に保持する障子保持部材であって、前記障子と係合して前記障子との見込み方向における相対移動が規制される障子係合部と、前記枠体と係合して前記枠体との見込み方向における相対移動が規制される枠係合部と、を有しており、前記障子係合部と前記枠係合部は、前記障子が閉じた状態において、当該障子の面内方向における枠体と障子との間に位置する。【選択図】図７
2015025290.tif 000002
【特許請求の範囲】
【請求項１】
枠体に対して回動することにより開閉自在に設けられた障子を、閉じた状態にて前記枠体に保持する障子保持部材であって、
前記障子と係合して前記障子との見込み方向における相対移動が規制される障子係合部と、
前記枠体と係合して前記枠体との見込み方向における相対移動が規制される枠係合部と、
を有しており、
前記障子係合部と前記枠係合部は、前記障子が閉じた状態において、当該障子の面内方向における前記枠体と前記障子との間に位置することを特徴とする障子保持部材。
【請求項２】
請求項１に記載の障子保持部材であって、
前記枠体と前記障子との間から、前記障子の面内方向における当該障子の中央側に突出する突出部を有することを特徴とする障子保持部材。
【請求項３】
請求項１または請求項２に記載の障子保持部材であって、
前記障子が閉じた状態において、
前記障子は、４本の框が連結されて矩形状を成して面材が取り付けられる框体を有し、
前記枠体は、４本の枠材が連結されて矩形状を成し、
前記障子係合部と前記枠係合部は、前記框と前記枠材との間に位置し、
前記枠材は、前記框と対向する障子対向面から前記框に向かって突出する枠側突部を有し、
前記框は、前記枠材と対向する枠体対向面から前記枠材に向かって突出する障子側突部を有しており、
前記枠側突部と係合する前記枠係合部が形成された枠対向板部と、前記障子側突部と係合する前記障子係合部が形成された障子対向板部とが、前記面内方向に互いに間隔を隔てて一体に形成されており、
前記障子係合部は、前記框の長手方向に沿う障子側スリットと、前記障子側スリットの一端と繋がって見込み方向の一方側に開放された障子側開放部と、を有し、
前記枠係合部は、前記枠材の長手方向に沿う枠側スリットと、前記枠側スリットの一端と繋がって前記一方側と反対側に開放された枠側開放部と、を有し、
前記障子を開いた状態にて、前記障子側突部を、前記障子係合部の前記障子側開放部から進入させて、
前記障子側スリットの他端に突き当たるように配置して、前記障子を閉じたときに、前記枠側突部が、前記枠係合部の前記枠側開放部に進入することを特徴とする障子保持部材。
【請求項４】
請求項３に記載の障子保持部材であって、
前記枠側開放部に進入した前記枠側突部が前記枠係合部の前記枠側スリットの他端に突き当たる位置に前記障子係合部が移動したときに、前記障子側突部が、前記障子側開放部に位置しないことを特徴とする障子保持部材。
【請求項５】
請求項３または請求項４に記載の障子保持部材であって、
前記突出部は、見込み方向において前記面材側に延出する延出部を有し、
前記障子対向板部と、前記延出部の前記框側の面に設けられた緩衝材とで前記框を狭持する、または、前記障子対向板部の前記框側の面及び前記延出部の前記框側の面にそれぞれ設けられた緩衝材とで前記框を狭持することを特徴とする障子保持部材。
【請求項６】
請求項５に記載の障子保持部材であって、
前記突出部は、前記面材との間に空隙が設けられていることを特徴とする障子保持部材。
【請求項７】
請求項３乃至請求項６のいずれかに記載の障子保持部材であって、
前記障子を閉じた状態にて、前記枠側突部が前記枠係合部と係合可能な係合可能領域と、前記障子側突部が前記障子係合部と係合可能な係合可能領域との間隔は、前記枠対向板部と前記障子対向板部との間隔より狭く、
前記枠側突部、及び、前記障子側突部は、前記各係合可能領域より先端側に前記各スリットの幅より広い拡幅部を有することを特徴とする障子保持部材。
【請求項８】
請求項１乃至請求項７のいずれかに記載の障子保持部材により、前記障子が閉じた状態で前記枠体に保持されることを特徴とする建具。
【発明の詳細な説明】
【技術分野】
【０００１】
本発明は、回動することにより開閉自在に取り付けられた障子を、閉じた状態にて枠体に保持する障子保持部材、及び、この障子保持部材により枠体に保持される障子を有する建具に関する。
【背景技術】
【０００２】
障子が回動することにより開閉自在に取り付けられている建具としては、例えば、外倒し窓がある。外倒し窓は、工場等にて障子が枠体に回動自在に取り付けられて施工現場に搬入され、建物等に取り付けられるまでの間、障子を閉じた状態に保持しなければならない。このため、障子の開放移動を規制する閉鎖維持装置を備えた建具が知られている（たとえば、特許文献１参照）。
【０００３】
この閉鎖維持装置は、まず、障子を開放した状態で、枠体の枠見込み面から中央側に突出する部位が、障子の開放移動を規制する規制部材の凹部に入り込むように、規制部材を枠体の中央側から押し込み、枠体に、落下しない程度に保持させる。このとき、規制部材に設けられている係止面部が見込み方向に突出している。次に、障子を閉鎖方向に回動することにより、障子の側面をなす面材見込み面部を係止面部に沿って配置する。そして、規制部材を下方に移動させることにより、面材見込み面部に設けられた段付ビスが、係止面部に設けられた係止溝に入り込むことにより、障子を閉じた状態が維持される。
【先行技術文献】
【特許文献】
【０００４】
【特許文献１】特開２０１２−１９３５３６号公報
【発明の概要】
【発明が解決しようとする課題】
【０００５】
建具の納まりとして、枠体が、壁や天井などの仕上げ材により覆われて、室内側に露出しない窓、いわゆる隠し框構造の窓が存在する。  
上記のような規制部材による障子の開放移動の規制は、枠体の突出する部位が規制部材の凹部に入り込むように、規制部材を枠体の中央側から押し込まなければならない。すなわち、規制部材は、枠体の突出する部位の、室内側に配置される部位と室外側に配置される部位とを備える必要がある。このため、隠し框構造の窓に用いられる建具の場合には、上記のような規制部材では障子の開放移動を規制することができないという課題がある。
【０００６】
本発明は、かかる課題に鑑みてなされたものであり、その目的とするところは、隠し框構造の窓であっても障子の開閉方向の移動を規制することが可能な障子保持部材、及び、この障子保持部材により枠体に保持される障子を有する建具を提供することにある。
【課題を解決するための手段】
【０００７】
かかる目的を達成するために本発明の障子保持部材は、枠体に対して回動することにより開閉自在に設けられた障子を、閉じた状態にて前記枠体に保持する障子保持部材であって、前記障子と係合して前記障子との見込み方向における相対移動が規制される障子係合部と、前記枠体と係合して前記枠体との見込み方向における相対移動が規制される枠係合部と、を有しており、前記障子係合部と前記枠係合部は、前記障子が閉じた状態において、当該障子の面内方向における前記枠体と前記障子との間に位置することを特徴とする障子保持部材である。  
このような障子保持部材によれば、枠係合部が枠体と係合し、障子係合部が障子と係合することより、枠体と障子との、見込み方向における相対移動を、閉じた状態の障子の面内方向における枠体と障子との間において規制することが可能である。このため、隠し框構造の窓であっても障子の開閉方向の移動を規制することが可能である。
【０００８】
かかる障子保持部材であって、前記枠体と前記障子との間から、前記障子の面内方向における当該障子の中央側に突出する突出部を有することが望ましい。  
このような障子保持部材によれば、閉じた状態の障子の面内方向における枠体と障子との間は、外部に露出せず外部から視認できないが、係合部本体と繋がって枠体と障子との間から面内方向における障子の中央側に突出する突出部が設けられているので、室内側から障子保持部材を係合位置または解除位置に移動させることが容易であり、また、障子保持部材が装着されているか否かを外部から視認することが可能である。
【０００９】
かかる障子保持部材であって、前記障子が閉じた状態において、前記障子は、４本の框が連結されて矩形状を成して面材が取り付けられる框体を有し、前記枠体は、４本の枠材が連結されて矩形状を成し、前記障子係合部と前記枠係合部は、前記框と前記枠材との間に位置し、前記枠材は、前記框と対向する障子対向面から前記框に向かって突出する枠側突部を有し、前記框は、前記枠材と対向する枠体対向面から前記枠材に向かって突出する障子側突部を有しており、前記枠側突部と係合する前記枠係合部が形成された枠対向板部と、前記障子側突部と係合する前記障子係合部が形成された障子対向板部とが、前記面内方向に互いに間隔を隔てて一体に形成されており、前記障子係合部は、前記框の長手方向に沿う障子側スリットと、前記障子側スリットの一端と繋がって見込み方向の一方側に開放された障子側開放部と、を有し、前記枠係合部は、前記枠材の長手方向に沿う枠側スリットと、前記枠側スリットの一端と繋がって前記一方側と反対側に開放された枠側開放部と、を有し、前記障子を開いた状態にて、前記障子側突部を、前記障子係合部の前記障子側開放部から進入させて、前記障子側スリットの他端に突き当たるように配置して、前記障子を閉じたときに、前記枠側突部が、前記枠係合部の前記枠側開放部に進入することが望ましい。  
このような障子保持部材によれば、障子保持部材が有する枠対向板部に形成された枠係合部は、枠材の長手方向に沿う枠側スリットと見込み方向に開放された開放部であり、障子対向板部に形成された障子係合部は、框の長手方向に沿う障子側スリットと見込み方向に開放された開放部である。このため、障子を開いた状態で、障子側突部を、障子係合部の開放部から進入させてスリットの他端に突き当たるように障子保持部材を配置することが容易である。そして、この状態にて障子を閉じると、枠側突部が、枠係合部の開放部に進入するので、視認しにくい閉じた状態の障子の面内方向における枠体と障子との間であっても、枠側突部を、枠係合部に進入させることが容易である。また、障子を閉じた状態で使用される障子保持部材の、枠側スリットと障子側スリットとは、同方向に沿って形成されているので、枠側突部が枠側スリットに進入し、障子側突部が障子側スリットに進入した状態で、障子保持部材を枠材及び框の長手方向に移動させることが可能である。すなわち、障子を開いた状態で障子保持部材を障子側に配置し、障子を閉じるだけで枠側突部を、枠係合部に進入させることが可能であり、その状態で枠材及び框の長手方向に移動させることが可能である。
【００１０】
かかる障子保持部材であって、前記枠側開放部に進入した前記枠側突部が前記枠係合部の前記枠側スリットの他端に突き当たる位置に前記障子係合部が移動したときに、前記障子側突部が、前記障子側開放部に位置しないことが望ましい。  
このような障子保持部材によれば、枠側突部が枠係合部に進入した状態で、枠側突部が枠係合部の枠側スリットの他端に突き当たる位置に移動させたとしても、障子側突部が、障子係合部の開放部に位置しないので、障子保持部材を枠側突部が枠係合部のスリットの他端に突き当たるまで移動させることにより、障子の開閉方向の移動を規制することが可能である。このため、取り付け時の作業性に優れた障子保持部材を提供することが可能である。
【００１１】
かかる障子保持部材であって、前記突出部は、見込み方向において前記面材側に延出する延出部を有し、前記障子対向板部と、前記延出部の前記框側の面に設けられた緩衝材とで前記框を狭持する、または、前記障子対向板部の前記框側の面及び前記延出部の前記框側の面にそれぞれ設けられた緩衝材とで前記框を狭持することが望ましい。  
このような障子保持部材によれば、障子が有する框を、障子対向板部と、延出部の框側の面に設けられた緩衝材とで狭持する、または、障子対向板部の框側の面及び延出部の框側の面にそれぞれ設けられた緩衝材で狭持するので、障子に障子保持部材を取り付けた状態にて、障子保持部材から手を離すことが可能である。このとき、障子対向板部と延出部との少なくとも一方の框と対向する部位には緩衝材が介在されるので、框を傷つけ難い障子保持部材を提供することが可能である。
【００１２】
かかる障子保持部材であって、前記突出部は、前記面材との間に空隙が設けられていることが望ましい。  
このような障子保持部材によれば、突出部と面材との間に空隙が設けられているので、障子保持部材が障子に取り付けられた後には、突出部と面材との間に指を入れて障子を回動させることが可能である。
【００１３】
かかる障子保持部材であって、前記障子を閉じた状態にて、前記枠側突部が前記枠係合部と係合可能な係合可能領域と、前記障子側突部が前記障子係合部と係合可能な係合可能領域との間隔は、前記枠対向板部と前記障子対向板部との間隔より狭く、前記枠側突部、及び、前記障子側突部は、前記各係合可能領域より先端側に前記各スリットの幅より広い拡幅部を有することが望ましい。  
このような障子保持部材によれば、障子を閉じた状態において、枠側突部が枠係合部と係合可能な枠側係合可能領域と、障子側突部が障子係合部と係合可能な障子側係合可能領域との間隔は、枠対向板部と障子対向板部との間隔より狭いので、枠対向板部を枠側係合可能領域に、障子対向板部を障子側係合可能領域にそれぞれ配置することが可能である。また、枠側突部、及び、障子側突部は、各係合領域より先端側に各スリットの幅より広い拡幅部を有しているので、枠側突部が枠係合部と係合し障子側突部が障子係合部と係合した後には、障子保持部材が面内方向に移動したとしても、係合は外れない。このため、より確実に障子の開閉方向の移動を規制することが可能である。
【００１４】
また、前記障子保持部材により、前記障子が閉じた状態で前記枠体に保持されることを特徴とする建具である。  
このような建具によれば、隠し框構造の窓であっても障子の開閉方向の移動を規制することが可能である。
【発明の効果】
【００１５】
本発明によれば、隠し框構造の窓であっても障子の開閉方向の移動を規制することが可能な障子保持部材、及び、この障子保持部材により枠体に保持される障子を有する建具を提供することが可能である。
【図面の簡単な説明】
【００１６】
【図１】本実施形態に係る建具の斜視図である。
【図２】本実施形態に係る建具の上部を示す縦断面図である。
【図３】本実施形態に係る障子保持部材の斜視図である。
【図４】図４（ａ）は、枠対向板部の平面図であり、図４（ｂ）は、障子対向板部の平面図である。
【図５】施工者による障子の開閉動作を説明する図である。
【図６】図６（ａ）は、障子への障子保持部材の取り付け方法を示す斜視図であり、図６（ｂ）は、障子保持部材が取り付けられた障子を閉じる状態を示す斜視図であり、図６（ｃ）は、障子保持部材により障子を枠体に保持する操作を示す斜視図である。
【図７】図７（ａ）は、障子保持部材を上框に装着した状態を示す斜視図であり、図７（ｂ）は、障子保持部材を上框に沿って長手方向にスライドした状態を示す斜視図であり、図７（ｃ）は、障子を閉じるときの枠側開放部と枠体側の段付きビスとの位置を示す斜視図であり、図７（ｄ）は、障子を閉じた状態を示す斜視図であり、図７（ｅ）は、図７（ｄ）を下方側から見た斜視図であり、図７（ｆ）は、障子が保持されている状態を示す斜視図である。
【図８】縦枠と縦框との間にて障子保持部材により障子が保持されている状態を示す縦断面図である。
【発明を実施するための形態】
【００１７】
以下、本発明の一実施形態に係る障子保持部材、及び、この障子保持部材により枠体に保持される障子を有する建具について図面を参照して説明する。  
本実施形態の建具１は、図１に示すような、排煙窓として用いられる外倒し窓をなす建具１を例に挙げて説明する。
【００１８】
以下の説明においては、建物等に取り付けられた建具１を室内側から見たときに、上下となる方向を上下方向、左右となる方向を左右方向または枠材或いは框の長手方向、室内外方向である奥行き方向を見込み方向として示す。また、障子保持部材３０（図２）及び建具１を構成する各部材については、障子２０を閉じた状態における障子２０の面内方向において框体２４及びガラス２５の中央側を内周側、框体２４及びガラス２５の外側を外周側として示す。
【００１９】
この建具１は、矩形状に枠組みされた枠体１０と、枠体１０に囲まれた内周側に配置され、ヒンジ１５を介して回動することにより開閉自在に取り付けられた障子２０と、障子２０を室外側に倒すように付勢するダンパー１６と、障子２０を枠体１０側に引き寄せて保持するワイヤー１７と、を有している。
【００２０】
この建具１は、現場にて施工される際に、ダンパー１６とワイヤー１７とが取り付けられる。このため、建具１の施工現場に搬入、及び、施工時に、障子２０が開かないように、図２、図３に示すような障子保持部材３０により障子２０が枠体１０に保持される。
【００２１】
枠体１０は、上枠１１、下枠１２及び左右の縦枠１３が枠組みされて矩形状をなし、下枠１２には、下枠１２の長手方向における中央から振り分けた位置に、２つのヒンジ１５が設けられている。
【００２２】
上枠１１における、枠体１０の内周面、すなわち障子２０と対向する障子対向面をなす下面室内延出部１１ａには、上枠１１の長手方向における中央から振り分けた位置に、２本の枠側突部としての段付きビス１４が下方から螺着されている。また、上枠１１には、ワイヤー１７の一端を固定するワイヤー固定部（不図示）と、一端が固定され障子２０に設けられた障子側滑車２６（図１）に巻き掛けられたワイヤー１７が枠体１０側にて再び巻き掛けられる枠側滑車(不図示)と、が設けられている。このため、ワイヤー１７の他端側を引くと、障子２０が枠体１０側に引き寄せられるように構成されている。
【００２３】
障子２０は、４本の框としての上框２１、下框２２及び左右の縦框２３が框組みされて矩形状をなす框体２４と、框体２４に周縁部が収容された面材としてのガラス２５と、を有している。
【００２４】
下框２２には、枠体１０の内周側に配置された位置にて、下枠１２に固定されたヒンジ１５が固定され、ヒンジ１５を回動軸として、障子２０の上端側が室外側に移動して回動するように構成されている。
【００２５】
上框２１には、上述した、一端が上枠１１に固定されたワイヤー１７が巻き掛けられる障子側滑車２６が、上框２１の長手方向における中央に設けられている。
【００２６】
上框２１は、ガラス２５の上端部を収容するガラス収容部２１ａにシール材２１ｂを介してガラス２５を保持しており、シール材２１ｂの下端２１ｃと同じ高さに下面２１ｄを有し、室内に向かって水平に延出され内部に中空部２１ｅを有する室内延出部２１ｆを有している。そして、室内延出部２１ｆの、枠体１０と対向する枠体対向面をなす上面２１ｇ、すなわち、上框２１の外周面には、上框２１の長手方向における中央から振り分けた位置に、２本の障子側突部としての段付きビス２７が上方から螺着されている。
【００２７】
前述した、上枠１１において２本の段付きビス１４が下方から螺着されている上枠１１の下面室内延出部１１ａは、障子２０を閉じた状態で、室内延出部２１ｆの上面２１ｇと、上下方向に間隔を隔てて配置される。すなわち、障子２０を閉じた状態にて、対向する、上枠１１の下面室内延出部１１ａと室内延出部２１ｆの上面２１ｇとに、それぞれ２本の段付きビス１４、２７が、上枠１１の下面室内延出部１１ａから下方に突出させて、室内延出部２１ｆの上面２１ｇから上方に突出させて設けられている。このとき、上枠１１の下面室内延出部１１ａの段付きビス１４と、室内延出部２１ｆの上面２１ｇの段付きビス２７とは、障子２０を閉じたときに同軸状に位置するように設けられている。
【００２８】
また、上枠１１の下面室内延出部１１ａをなす部位の室内側の縁からは下方に延出された内壁部１１ｂが形成されており、内壁部１１ｂの下縁が室内延出部２１ｆの下面２１ｄと同じ位置まで延出されている。そして、内壁部１１ｂの室内側は、仕上げ材１９にて覆われているので、室内側からは枠体１０及び框体２４は室内側から見え難くなっている。
【００２９】
障子保持部材３０は、図２に示すように、閉じた状態の障子２０の面内方向における枠体１０と障子２０との間、より具体的には、上下方向に間隔を隔てた上枠１１の下面室内延出部１１ａと室内延出部２１ｆの上面２１ｇとの間において、枠体１０に対する障子２０の見込み方向における相対移動、すなわち障子２０の回動を規制するように設けられている。
【００３０】
障子保持部材３０は、図３に示すように、枠体１０に設けられた段付きビス１４と係合して枠体１０との見込み方向における相対移動が規制される枠係合部３１ａ、及び、障子２０に設けられた段付きビス２７と係合して障子２０との見込み方向における相対移動が規制される障子係合部３２ａ、を有する係合部本体３３と、係合部本体３３と繋がって障子の中央側に突出する突出部と、を有している。
【００３１】
係合部本体３３は、上枠１１の下面室内延出部１１ａと室内延出部２１ｆの上面２１ｇとの間に配置されたときに、上枠１１の下面室内延出部１１ａと対向する枠対向板部３１と、室内延出部２１ｆの上面２１ｇと対向する障子対向板部３２と、枠対向板部３１と障子対向板部３２との室外側の縁同士を上下方向に間隔を隔てて連結する連結壁部３５と、障子対向板部３２の室内側の縁から垂設された垂壁部３６と、垂壁部３６の下縁から室外側に延出された延出部としての下端延出部３７と、を有している。この垂壁部３６と下端延出部３７とで突出部を構成している。
【００３２】
枠対向板部３１と、障子対向板部３２とには、各々、Ｌ字状をなす切り欠き部３１ｂ、３２ｂが形成されており、切り欠き部３１ｂ、３２ｂの縁が枠係合部３１ａ及び障子係合部３２ａをなしている。
【００３３】
図４（ａ）に示すように、障子対向板部３２の障子係合部３２ａは、上框２１の長手方向に沿う障子側スリット３２ｃと、障子側スリット３２ｃの一端である左端３２ｅと繋がって室外側に向かって開放された障子側開放部３２ｄをなしている。障子側開放部３２ｄの室外側部分は、障子側スリット３２ｃより幅が広く形成されている。障子係合部３２ａには、段付きビス２７が室外側から進入できるように、障子側開放部３２ｄと繋がった切り欠き３５ａ（図３）が連結壁部３５に設けられている。より具体的には、障子側開放部３２ｄの室外側端部から上方に連続して切り欠き３５ａが形成されており、この切り欠き３５ａの高さ（障子対向板部３２の上面から切り欠き３５ａの上端までの高さ）は、後述する段付きビス２７の頭部２７ｂの高さ寸法以上となっている。これにより、頭部２７ｂは、室外側から切り欠き３５ａを挿通して障子対向板部３２の上方に配置できるようなっている。ここで、障子側スリット３２ｃとは、主に上框２１の長手方向に沿った平行な縁を有する部位と右端３２ｆ（障子側スリットの他端）とであり、障子側開放部３２ｄは、障子側スリット３２ｃより左側の部分であり、その境界を図４（ａ）に一点鎖線にて示している。
【００３４】
障子対向板部３２の上方に位置する枠対向板部３１の枠係合部３１ａは、見込み方向において障子側スリット３２ｃと重なる位置に、図４（ｂ）に示すように、枠側スリット３１ｃが設けられ、枠側スリット３１ｃの一端である右端３１ｅと繋がって室内側に向かって開放された枠側開放部３１ｄをなしている。枠側開放部３１ｄの室内側部分は、枠側スリット３１ｃより幅が広く形成されている。ここで、枠側スリット３１ｃとは、上枠１１の長手方向に沿った平行な縁を有する部位と左端３１ｆ（枠側スリットの他端）とであり、枠側開放部３１ｄは、枠側スリット３１ｃより右側の部分であり、その境界を図４（ｂ）に一点鎖線にて示している。
【００３５】
枠係合部３１ａの枠側開放部３１ｄのうちの枠側スリット３１ｃの延長上に位置する部位は、上枠１１、上框２１の長手方向において、障子側スリット３２ｃの右端３２ｆと重なる位置に配置されている。また、枠係合部３１ａの枠側スリット３１ｃの左端３１ｆは、上枠１１の長手方向において、障子側開放部３２ｄと枠側開放部３１ｄとの間に位置している。
【００３６】
障子対向板部３２と繋がった垂壁部３６及び下端延出部３７にて形成される室外側に開放された凹部３０ａには、上框２１側の面に弾性を有する軟質合成樹脂でなる緩衝材４０が貼り付けられている。緩衝材４０が貼り付けられた凹部３０ａには、室外側から障子２０の室内延出部２１ｆが挿入され、障子保持部材３０が、障子対向板部３２と緩衝材４０との間に室内延出部２１ｆを挟持するように取り付けられて障子２０に保持される。
【００３７】
障子保持部材３０が障子２０に保持された状態では、見込み方向においてガラス２５と下端延出部３７との間に空隙Ｓが設けられており、図５に示すように、建具１を取り付ける施工者は、指を空隙Ｓに挿入し、障子２０を開閉操作することが可能である。
【００３８】
本障子保持部材３０により、障子２０を枠体１０に保持する際には、まず、図６（ａ）に示すように、障子２０を開いた状態、少なくとも障子２０の上框２１が枠体１０に囲まれた領域より室外側に位置する状態で、障子保持部材３０の凹部３０ａを室内延出部２１ｆと対向するように、障子保持部材３０を配置する。
【００３９】
次に、室内延出部２１ｆが凹部３０ａに挿入されるように障子保持部材３０を障子２０に近づける。このとき、図７（ａ）に示すように、障子２０に設けられた段付きビス２７が、障子対向板部３２の障子側開放部３２ｄに進入する。また、このとき、障子保持部材３０は、上框２１の長手方向にスライド可能な程度に、緩衝材４０の弾性により保持される。
【００４０】
次に、障子保持部材３０を上框２１の長手方向左側にスライドし、図７（ｂ）に示すように、段付きビス２７を障子対向板部３２の障子側スリット３２ｃの右端３２ｆに突き当てる。
【００４１】
段付きビス２７が障子側スリット３２ｃの右端３２ｆに突き当った状態で、図６（ｂ）に示すように、障子２０を回動して閉じ、上枠１１の下面室内延出部１１ａと室内延出部２１ｆの上面２１ｇとが対向する位置に移動する。図７（ｃ）〜図７（ｆ）においては、枠体１０を省略し、上枠１１の下面室内延出部１１ａの段付きビス１４のみを示している。このとき、図７（ｃ）に示すように、障子２０を閉じていくと、枠対向板部３１の枠側開放部３１ｄが上枠１１の下面室内延出部１１ａの段付きビス１４と対向し、閉じた状態にて、図７（ｄ）、図７（ｅ）に示すように、段付きビス１４が枠側開放部３１ｄに進入する。
【００４２】
障子２０を閉じた状態では、図６（ｃ）に示すように、枠体１０と障子２０との間から面内方向における障子２０の中央側に垂壁部３６の下部と下端延出部３７とが突出している。このとき、垂壁部３６の上部側には、上枠１１の内壁部１１ｂの下端部に室外側に向けて設けられたＡＴ材３８（図２）に押圧されることにより、障子保持部材３０が障子２０の上框２１と内壁部１１ｂとの間に挟持される。
【００４３】
次に、枠体１０と障子２０との間から突出している垂壁部３６の下部と下端延出部３７とを摘んで、障子保持部材３０を上枠１１及び上框２１の長手方向における右方向にスライドし、図７（ｆ）に示すように、段付きビス１４を枠対向板部３１の枠側開放部３１ｄの左端３１ｆに突き当てる。この操作により、障子２０に設けられた段付きビス２７は、障子側スリット３２ｃに、上枠１１の下面室内延出部１１ａの段付きビス１４は、枠側スリット３１ｃに位置するので、障子２０と枠体１０との見込み方向における相対移動が規制され、障子２０が枠体１０に保持される。
【００４４】
そして、垂壁部３６の下部と下端延出部３７とを操作することにより、段付きビス１４、２７のいずれもが、枠係合部３１ａ及び障子係合部３２ａの枠側開放部３１ｄ及び障子側開放部３２ｄではなく、枠側スリット３１ｃ及び障子側スリット３２ｃと係合する係合位置と、段付きビス１４が枠側開放部３１ｄに位置して係合を解除可能な解除位置とに移動させることが可能である。ここで、垂壁部３６の下部と下端延出部３７とが枠体１０と障子２０との間から面内方向における障子２０の中央側に突出する突出部に相当する。
【００４５】
本実施形態の障子保持部材３０及び建具１によれば、係合部本体３３の枠係合部３１ａが枠体１０と係合し、障子係合部３２ａが障子２０と係合することより、枠体１０と障子２０との、見込み方向における相対移動を、閉じた状態の障子２０の面内方向における枠体１０と障子２０との間において規制することが可能である。このため、枠体１０が仕上げ材１９に覆われて室内側に露出しない隠し框構造の窓であっても障子２０の開閉方向の移動を規制することが可能である。また、閉じた状態の障子２０の面内方向における枠体１０と障子２０との間は、外部に露出せず外部から視認できないが、係合部本体３３と繋がって枠体１０と障子２０との間から面内方向における障子２０の中央側に垂壁部３６の下部と下端延出部３７とが突出しているので、垂壁部３６の下部と下端延出部３７とを操作することにより枠係合部３１ａ及び障子係合部３２ａを係合位置または解除位置に容易に移動させることが可能である。また、垂壁部３６の下部と下端延出部３７とが、面内方向における障子２０の中央側に突出しているので、障子保持部材３０が装着されているか否かを外部から視認することが可能である。
【００４６】
また、障子保持部材３０が有する枠対向板部３１に形成された枠係合部３１ａと、障子対向板部３２に形成された障子係合部３２ａとは、上枠１１、上框２１の長手方向に沿う枠側スリット３１ｃまたは障子側スリット３２ｃと、枠側スリット３１ｃ及び障子側スリット３２ｃの見込み方向に開放された枠側開放部３１ｄまたは障子側開放部３２ｄである。そして、障子２０を開いた状態にて、障子２０に設けられた段付きビス２７を、障子係合部３２ａの障子側開放部３２ｄから進入させて障子スリット３２ｃの右端３２ｆに突き当たるように障子保持部材３０を配置することが可能である。そして、この状態にて障子２０を閉じたときに、枠体１０に設けられた段付きビス１４が、枠係合部３１ａの枠側開放部３１ｄに進入するので、閉じた状態の障子２０の面内方向における枠体１０と障子２０との視認できない間であっても、枠体１０側の段付きビス１４を、枠係合部に進入させることが可能である。また、障子２０を閉じた状態で使用される障子保持部材３０の、枠側スリット３１ｃと障子側スリット３２ｃとは、同方向に沿って形成されているので、段付きビス１４が枠側スリット３１ｃに進入し、段付きビス２７が障子側スリット３２ｃに進入した状態で、障子保持部材３０を上枠１１及び上框２１の長手方向に移動させることが可能である。すなわち、障子２０を開いた状態で障子保持部材３０を障子２０側に配置し、障子２０を閉じるだけで枠体１０に設けられた段付きビス１４を、枠係合部３１ａに進入させることが可能である。
【００４７】
また、枠体１０に設けられた段付きビス１４が枠係合部３１ａに進入した状態で、枠係合部３１ａの枠側スリット３１ｃに沿って、段付きビス１４が枠係合部３１ａの枠側スリット３１ｃの左端３１ｆに突き当たるまで移動させても、障子２０に設けられた段付きビス２７が、障子係合部３２ａの障子側開放部３２ｄに位置しないので、障子保持部材３０を段付きビス１４が枠係合部３１ａの枠側スリット３１ｃの左端３１ｆに突き当たるまで移動させることにより、枠係合部３１ａ及び段付きビス１４が視認できない状態であっても、障子２０の開閉方向の移動を規制することが可能である。このため、取り付け時の作業性に優れた障子保持部材３０を提供することが可能である。
【００４８】
また、障子２０が有する框体２４を、障子保持部材３０の下端延出部３７に設けた緩衝材４０と障子対向板部３２との間に挟持するので、障子２０に障子保持部材３０を取り付けた状態にて、障子保持部材３０から手を離すことが可能である。このとき、上框２１の室内延出部２１ｆと障子保持部材３０との間には緩衝材４０が介在されているので、上框２１の室内延出部２１ｆを傷つけることなく障子保持部材３０を上框２１に容易に保持することが可能である。
【００４９】
また、枠体１０と障子２０との間から面内方向における障子２０の中央側に突出する下端延出部３７とガラス２５との間に空隙Ｓが設けられているので、障子保持部材３０が障子２０に取り付けられた後には、下端延出部３７とガラス２５との間に指を入れて障子２０を回動させることが可能である。
【００５０】
また、障子２０を閉じた状態において、枠体１０に設けられた段付きビス１４が枠係合部３１ａと係合可能な枠側係合可能領域Ａ、すなわち段付きビス１４の段部１４ａと、障子２０に設けられた段付きビス２７が障子係合部３２ａと係合可能な障子側係合可能領域Ｂ、すなわちと段付きビス２７の段部２７ａとの間隔Ｌ１は、枠対向板部３１と障子対向板部３２との間隔Ｌ２より狭いので、枠対向板部３１を枠側係合可能領域Ａに、障子対向板部３２を障子側係合可能領域Ｂにそれぞれ配置することが可能である。また、段付きビス１４、及び、段付きビス２７は、枠側係合可能領域Ａ及び障子側係合可能領域Ｂより先端側に枠側スリット３１ｃ及び障子側スリット３２ｃの幅より広い拡幅部としての頭部１４ｂ、２７ｂを有しているので、段付きビス１４が枠係合部３１ａと係合し、段付きビス２７が障子係合部３２ａと係合した後には、障子保持部材３０が面内方向に移動したとしても、係合は外れない。このため、より確実に障子２０の開閉方向の移動を規制することが可能である。
【００５１】
上記実施形態においては、枠側突部及び障子側突部をいずれも、段付きビス１４、２７としたが、段が設けられていないビスを、その頭部と螺合されている部位が間隔を隔てるように螺合されていても構わない。また、ビス頭部のように、必ずしも先端が拡径されている必要はない。
【００５２】
上記実施形態においては、障子保持部材３０が、係合部本体３３と、突出部としての垂壁部３６の下部と下端延出部３７とを有する例について説明したが、これに限らず、例えば、垂壁部３６及び下端延出部３７を備えず、たとえば、見込み方向における枠体１０と障子２０との間から挿入した板状の治具などにより、障子保持部材を移動させることが可能であれば、係合部本体３３のみにて構成されていても良い。
【００５３】
上記実施形態においては、下框２２にヒンジ１５を介して回動自在に固定された外倒し窓を例に挙げて説明したが、上框が上枠に回動自在に固定される突き出し窓や左右いずれかの縦框が縦枠に回動自在に固定される片開き窓などであっても構わない。突き出し窓の場合には、下枠１２と下框２２との間にて障子保持部材３０により障子２０が枠体１０に保持され、片開き窓の場合には、図８に示すように、縦枠１３と縦框２３との間にて障子保持部材３０により障子２０が枠体１０に保持される。
【００５４】
上記実施形態においては、障子保持部材３０が、障子対向板部３２と緩衝材４０との間に室内延出部２１ｆを挟持する例について説明したが、図８に示すように、障子対向板部３２の上框２１側の面及び下端延出部３７の上框２１側の面にそれぞれ設けられた緩衝材４０で上框２１を狭持してもよい。
【００５５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５６】
１  建具、１０  枠体、１１  上枠、１１ａ  下面室内延出部、１４  段付きビス、
１４ａ  段部、１４ｂ  頭部、１５  ヒンジ、２０  障子、２１  上框、
２１ｇ  上面、２４  框体、２５  ガラス、２７  段付きビス、２７ａ  段部、
２７ｂ  頭部、３０  障子保持部材、３１  枠対向板部、３１ａ  枠係合部、
３１ｃ  枠側スリット、３１ｄ  枠側開放部、３１ｅ  右端、３１ｆ  左端、
３２  障子対向板部、３２ａ  障子係合部、３２ｃ  障子側スリット、
３２ｄ  障子側開放部、３２ｅ  左端、３２ｆ  右端、３３  係合部本体、
３６  垂壁部、３７  下端延出部、４０  緩衝材、
Ｓ  空隙
【図１】
2015025290.tif 000003
【図２】
2015025290.tif 000004
【図３】
2015025290.tif 000005
【図４】
2015025290.tif 000006
【図５】
2015025290.tif 000007
【図６】
2015025290.tif 000008
【図７】
2015025290.tif 000009
【図８】
2015025290.tif 000010